(57)【特許請求の範囲】
【請求項１】
通信信号の周波数の波形品質に関する情報を表示する波形品質情報表示装置であって、
前記通信信号の周波数の波形を測定する波形測定手段と、
前記波形のとる値と所定のしきい値との大小関係を示す波形データを測定する波形データ測定手段と、
前記波形と前記波形データとを時間軸を共通にして表示する波形品質情報表示手段と、
を備えた波形品質情報表示装置。
【請求項２】
請求項１に記載の波形品質情報表示装置であって、
前記波形品質情報表示手段は前記しきい値も表示する波形品質情報表示装置。
【請求項３】
請求項１に記載の波形品質情報表示装置であって、
前記波形品質情報表示手段は表示内容を部分的に拡大して表示する波形品質情報表示装置。
【請求項４】
請求項１に記載の波形品質情報表示装置であって、
前記波形データ測定手段は所定時間ごとに前記波形データを測定する波形品質情報表示装置。
【請求項５】
請求項４に記載の波形品質情報表示装置であって、
前記通信信号をサンプリングするサンプリング手段と、
前記サンプリング手段の出力をデジタル化して出力するＡ／Ｄコンバータと、
を備え、
前記波形データ測定手段は、前記Ａ／Ｄコンバータの出力に基づき所定時間ごとに前記波形データを測定する、
波形品質情報表示装置。
【請求項６】
請求項１に記載の波形品質情報表示装置であって、
前記波形データ測定手段は、
前記波形のとる値が所定のしきい値よりも大きい場合は前記波形データを１とし、
前記波形のとる値が所定のしきい値よりも小さい場合は前記波形データを０とする、
波形品質情報表示装置。
【請求項７】
請求項１に記載の波形品質情報表示装置であって、
前記通信信号を復調する復調手段を備え、
前記波形測定手段は前記復調手段の出力に基づき前記通信信号の周波数の波形を測定する、
波形品質情報表示装置。
【請求項８】
請求項１ないし７のいずれか一項に記載の波形品質情報表示装置であって、
前記通信信号はBluetooth（登録商標）規格に基づくものである波形品質情報表示装置。
【請求項９】
通信信号の周波数の波形品質に関する情報を表示する波形品質情報表示方法であって、
前記通信信号の周波数の波形を測定する波形測定工程と、
前記波形のとる値と所定のしきい値との大小関係を示す波形データを測定する波形データ測定工程と、
前記波形と前記波形データとを時間軸を共通にして表示する波形品質情報表示工程と、
を備えた波形品質情報表示方法。
【請求項１０】
通信信号の周波数の波形品質に関する情報を表示する波形品質情報表示処理をコンピュータに実行させるためのプログラムであって、
前記通信信号の周波数の波形を測定する波形測定処理と、
前記波形のとる値と所定のしきい値との大小関係を示す波形データを測定する波形データ測定処理と、
前記波形と前記波形データとを時間軸を共通にして表示する波形品質情報表示処理と、
をコンピュータに実行させるためのプログラム。
【請求項１１】
通信信号の周波数の波形品質に関する情報を表示する波形品質情報表示処理をコンピュータに実行させるためのプログラムを記録したコンピュータによって読み取り可能な記録媒体であって、
前記通信信号の周波数の波形を測定する波形測定処理と、
前記波形のとる値と所定のしきい値との大小関係を示す波形データを測定する波形データ測定処理と、
前記波形と前記波形データとを時間軸を共通にして表示する波形品質情報表示処理と、
をコンピュータに実行させるためのプログラムを記録したコンピュータによって読み取り可能な記録媒体。
【発明の詳細な説明】
【０００１】
【発明の属する技術分野】
本発明はBluetooth（以下、「Bluetooth」との記載、および「bluetooth」との記載は、Bluetooth（登録商標）を意味する）方式等を利用する通信における周波数の波形品質に関する情報の表示に関する。
【０００２】
【従来の技術】
従来より、通信方式としてBluetooth方式がある。Bluetooth通信における周波数の波形は、周波数と時間との関係を示すグラフである。周波数の波形は波形品質を示す情報として重要である。すなわち、周波数の波形および周波数がある時間においてある所定のしきい値を超えているか否かが波形品質を把握する上で重要なのである。そこで、周波数の波形を表示することが行われる場合がある。
【０００３】
【発明が解決しようとする課題】
しかしながら、周波数の波形が表示されたとしても、それだけではある時間における周波数としきい値との大小関係を把握することは難しい。よって、周波数の波形品質に関する情報を充分に表示しているとは言い難い。
【０００４】
そこで、本発明は、周波数の波形品質に関する情報を充分に表示することを課題とする。
【０００５】
【課題を解決するための手段】
請求項１に記載の発明は、通信信号の周波数の波形品質に関する情報を表示する波形品質情報表示装置であって、通信信号の周波数の波形を測定する波形測定手段と、波形のとる値と所定のしきい値との大小関係を示す波形データを測定する波形データ測定手段と、波形と波形データとを時間軸を共通にして表示する波形品質情報表示手段とを備えるように構成される。
【０００６】
上記のように構成された波形品質情報表示装置によれば、波形のとる値と所定のしきい値との大小関係を示す波形データが波形と時間軸を共通にして、波形品質情報表示手段により表示される。よって、ある時間における周波数としきい値との大小関係を把握することが容易であり、周波数の波形品質に関する情報を充分に表示することになる。
【０００７】
請求項２に記載の発明は、請求項１に記載の発明であって、波形品質情報表示手段はしきい値も表示するように構成される。
【０００８】
請求項３に記載の発明は、請求項１に記載の発明であって、波形品質情報表示手段は表示内容を部分的に拡大して表示するように構成される。
【０００９】
請求項４に記載の発明は、請求項１に記載の発明であって、波形データ測定手段は所定時間ごとに波形データを測定するように構成される。
【００１０】
請求項５に記載の発明は、請求項４に記載の発明であって、通信信号をサンプリングするサンプリング手段と、サンプリング手段の出力をデジタル化して出力するＡ／Ｄコンバータとを備え、波形データ測定手段は、Ａ／Ｄコンバータの出力に基づき所定時間ごとに波形データを測定するように構成される。
【００１１】
請求項６に記載の発明は、請求項１に記載の発明であって、波形データ測定手段は、波形のとる値が所定のしきい値よりも大きい場合は波形データを１とし、波形のとる値が所定のしきい値よりも小さい場合は波形データを０とするように構成される。
【００１２】
請求項７に記載の発明は、請求項１に記載の発明であって、通信信号を復調する復調手段を備え、波形測定手段は復調手段の出力に基づき通信信号の周波数の波形を測定するように構成される。
【００１３】
請求項８に記載の発明は、請求項１ないし７のいずれか一項に記載の発明であって、通信信号はbluetooth規格に基づくものであるように構成される。
【００１４】
請求項９に記載の発明は、通信信号の周波数の波形品質に関する情報を表示する波形品質情報表示方法であって、通信信号の周波数の波形を測定する波形測定工程と、波形のとる値と所定のしきい値との大小関係を示す波形データを測定する波形データ測定工程と、波形と波形データとを時間軸を共通にして表示する波形品質情報表示工程とを備えるように構成される。
【００１５】
請求項１０に記載の発明は、通信信号の周波数の波形品質に関する情報を表示する波形品質情報表示処理をコンピュータに実行させるためのプログラムであって、通信信号の周波数の波形を測定する波形測定処理と、波形のとる値と所定のしきい値との大小関係を示す波形データを測定する波形データ測定処理と、波形と波形データとを時間軸を共通にして表示する波形品質情報表示処理とをコンピュータに実行させるためのプログラムである。
【００１６】
請求項１１に記載の発明は、通信信号の周波数の波形品質に関する情報を表示する波形品質情報表示処理をコンピュータに実行させるためのプログラムを記録したコンピュータによって読み取り可能な記録媒体であって、通信信号の周波数の波形を測定する波形測定処理と、波形のとる値と所定のしきい値との大小関係を示す波形データを測定する波形データ測定処理と、波形と波形データとを時間軸を共通にして表示する波形品質情報表示処理と、をコンピュータに実行させるためのプログラムを記録したコンピュータによって読み取り可能な記録媒体である。
【００１７】
【発明の実施の形態】
以下、本発明の実施形態を図面を参照しながら説明する。
【００１８】
図１は、本発明の実施形態にかかる波形品質情報表示装置１の構成を示すブロック図である。波形品質情報表示装置１は、通信信号の周波数の波形品質に関する情報を表示する。波形品質情報表示装置１は、受信部１０、波形サンプリング部１２、復調部１４、Ａ／Ｄコンバータ１６、波形測定部１８、波形データ測定部２０、波形品質情報表示部２２を備える。
【００１９】
受信部１０は、bluetooth規格に従った通信信号を受信する。
【００２０】
波形サンプリング部１２は、受信部１０から通信信号を取得して、通信信号をサンプリングする。出力は所定時間Δｔ周期のアナログ信号となる。
【００２１】
復調部１４は、受信部１０から通信信号を取得して復調する。bluetooth規格に従った通信信号は変調されているため、この変調に対応した復調を行う。
【００２２】
Ａ／Ｄコンバータ１６は、波形サンプリング部１２の出力をデジタル化して出力する。出力は所定時間Δｔ周期のデジタル信号となる。
【００２３】
波形測定部１８は、復調部１４の出力に基づき通信信号の周波数の波形を測定する。周波数の波形の一例を図２に示す。周波数の波形は、通信信号が使用する周波数を縦軸に、時間を横軸にとったグラフ１８ａである。グラフ１８ａに示すように、通信信号が使用する周波数は時間により変動している。
【００２４】
波形データ測定部２０は、波形のとる値と所定のしきい値との大小関係を示す波形データを所定時間Δｔごとに測定する。波形データの測定法を図３を参照して説明する。波形データ測定部２０は、波形のとる値（グラフ１８ａ）を波形測定部１８から取得する（図３（ａ）参照）。また、Ａ／Ｄコンバータ１６からは所定時間Δｔ周期のデジタル信号を取得する（図３（ｂ）参照）。波形データ測定部２０は、Ａ／Ｄコンバータ１６からデジタル信号を取得した時に、波形のとる値が所定のしきい値ｆ０を超えているか否かを判定する。波形のとる値が所定のしきい値ｆ０を超えているならば、波形データ２０ａを１とする。波形のとる値が所定のしきい値ｆ０を超えていないならば、波形データ２０ａを０とする。ただし、波形のとる値が所定のしきい値ｆ０である場合であっても、波形データ２０ａを１としてもよい。
【００２５】
波形品質情報表示部２２は、波形測定部１８から波形（グラフ１８ａ）を、波形データ測定部２０からは波形データ２０ａを所得する。そして、波形（グラフ１８ａ）と波形データ２０ａとを時間軸（横軸）を共通にして図４に示すように表示する。このとき、所定のしきい値ｆ０を時間軸（横軸）と平行な直線で表示させてもよい。
【００２６】
周波数の波形および周波数がある時間においてある所定のしきい値を超えているか否かが波形品質を把握する上で重要である。波形品質情報表示部２２は、波形（グラフ１８ａ）と波形データ２０ａとを表示しているので、波形品質を把握する上で重要な情報、すなわち波形品質に関する情報を表示しているといえる。
【００２７】
なお、波形品質情報表示部２２により表示される波形（グラフ１８ａ）と波形データ２０ａの時間的範囲が広いと、波形等が図５（ａ）に示すように小さくなり見ずらい。そこで、図５（ｂ）に示すように部分的に拡大してもよい。
【００２８】
次に、本発明の実施形態の動作を説明する。
【００２９】
受信部１０によりbluetooth規格に従った通信信号が受信される。通信信号は、復調部１４により復調され、波形測定部１８により周波数の波形が測定される。
【００３０】
また、通信信号は、波形サンプリング部１２によりサンプリングされ、さらにＡ／Ｄコンバータ１６によりデジタル化されて所定時間Δｔ周期のデジタル信号となって、波形データ測定部２０に出力される。波形データ測定部２０は、波形のとる値（グラフ１８ａ）を波形測定部１８から取得する。また、Ａ／Ｄコンバータ１６からは所定時間Δｔ周期のデジタル信号を取得する。これにより、波形データ測定部２０は、波形データを測定する。
【００３１】
周波数の波形は波形測定部１８から、波形データはデータ測定部２０から波形品質情報表示部２２に送られ表示される（図４参照）。
【００３２】
本発明の実施形態によれば、波形のとる値（グラフ１８ａ）と所定のしきい値（ｆ０）との大小関係を示す波形データ２０ａが波形（グラフ１８ａ）と時間軸（横軸ｔ）を共通にして、波形品質情報表示部２２により表示される。よって、ある時間における周波数としきい値（ｆ０）との大小関係を把握することが容易であり、周波数の波形品質に関する情報を充分に表示することになる。
【００３３】
なお、上記の実施形態において、ＣＰＵ、ハードディスク、メディア（フロッピーディスク、ＣＤ−ＲＯＭなど）読み取り装置を備えたコンピュータのメディア読み取り装置に、上記の各部分（例えば、波形品質情報表示装置１の各部分など）を実現するプログラムを記録したメディアを読み取らせて、ハードディスクにインストールする。このような方法でも、波形品質情報表示装置を実現できる。
【００３４】
【発明の効果】
本発明によれば、波形のとる値と所定のしきい値との大小関係を示す波形データが波形と時間軸を共通にして、波形品質情報表示手段により表示される。よって、ある時間における周波数としきい値との大小関係を把握することが容易であり、周波数の波形品質に関する情報を充分に表示することになる。
【図面の簡単な説明】
【図１】本発明の実施形態にかかる波形品質情報表示装置１の構成を示すブロック図である。
【図２】周波数の波形の一例を示す図である。
【図３】波形データの測定法を説明する図であり、波形のとる値（グラフ１８ａ）および波形データ２０ａを示す図（図３（ａ））およびＡ／Ｄコンバータ１６から出力される所定時間Δｔ周期のデジタル信号を示す図（図３（ｂ））である。
【図４】波形品質情報表示部２２の表示内容を示す図である。
【図５】波形品質情報表示部２２の表示内容を示す図であり、通常の表示（図５（ａ））、拡大された表示（図５（ｂ））を示す。
【符号の説明】
１  波形品質情報表示装置
１０  受信部
１２  波形サンプリング部
１４  復調部
１６  Ａ／Ｄコンバータ
１８  波形測定部
１８ａ  グラフ
２０  波形データ測定部
２０ａ  波形データ
２２  波形品質情報表示部
【図１】
0003998176.tif 000002
【図２】
0003998176.tif 000003
【図３】
0003998176.tif 000004
【図４】
0003998176.tif 000005
【図５】
0003998176.tif 000006